(57)【要約】      （修正有）【課題】ハンドヘルド型交換可能の手袋を提供する。【解決手段】ハンドヘルド型交換可能の手袋は、手袋本体１と手袋本体に覆われた入れ替え部品を含む。手袋本体１は第１掌部、第１手の甲部１２と第１腕部１３を含み、手袋の入れ替え部品は第２掌部、第２手の甲部と第２腕部を含む。第２掌部は第１掌部に覆われており、第２手の甲部が第１接続ユニット３を通して第１手の甲部１２と繋がって、第２腕部が第２接続ユニットで第１腕部１３と繋がっている。第１接続ユニット３のため、手袋の入れ替え部品を手袋本体１から取り外すことが可能になる。手袋の入れ替え部品が摩耗になって再使用できない場合は、手袋の入れ替え部品を取り外し交換すればできる。それによって、使用寿命が延長され、手袋本体の廃棄が避けられて、無駄を減らし、コストを下げることができる。【選択図】図１
0003220553.tif 000002
【実用新案登録請求の範囲】
【請求項１】
ハンドヘルド型交換可能の手袋において
手袋本体と、手袋本体に覆われた入れ替え部品を含み、
手袋本体は第1掌部、第1手の甲部と第1腕部を含み、
手袋の入れ替え部品は第2掌部、第2手の甲部と第2腕部を含み、
第2掌部は第１掌部に覆われ、
第2手の甲部が第１接続ユニットを通して第１手の甲部と繋がり、      
第2腕部が第2接続ユニットを通して第1腕部と繋がる
ことを特徴とするハンドヘルド型交換可能の手袋。
【請求項２】
請求項1に記載されたハンドヘルド型交換可能の手袋において、
第1接続ユニットが第１コネクタ、第2コネクタ、及び第1コネクタと第2コネクタと接続するためのスライドを含み、
第１コネクタは、第１手の甲部に設置され、
第2コネクタは、第2手の甲部に設置され、
スライドが第１コネクタと第2コネクタに沿って作動することで、第１コネクタと第2コネクタと連動させる
ことを特徴とするハンドヘルド型交換可能の手袋。
【請求項３】
請求項1に記載されたハンドヘルド型交換可能の手袋において、
第2接続ユニットが第3コネクタと第4コネクタを含み、
第3コネクタは第2腕部が第2手の甲部に面する片側に設置され、
第4コネクタは第１腕部が手袋本体の内側に面する片側に設置された
ことを特徴とするハンドヘルド型交換可能の手袋。
【請求項４】
請求項1に記載されたハンドヘルド型交換可能の手袋において、
手袋本体が腕当てを内蔵し、
内蔵する腕当てのエッジに、第１調節ユニットが設置され、
第１腕部のエッジに、第2調節ユニットが設置された
ことを特徴とするハンドヘルド型交換可能の手袋。
【請求項５】
請求項1に記載されたハンドヘルド型交換可能の手袋において、
第2掌部、第2手の甲部、及び第2腕部が一体となって裁断製造されたものである
ことを特徴とするハンドヘルド型交換可能の手袋。
【請求項６】
請求項1に記載されたハンドヘルド型交換可能の手袋において、
手袋の入れ替え部品が摩耗に強い材質を採用したものである
ことを特徴とするハンドヘルド型交換可能の手袋。
【考案の詳細な説明】
【技術分野】
【０００１】
当実用的な新型の手袋は、具体的にハンドヘルド交換可能の手袋技術分野に関連する。
【背景技術】
【０００２】
手袋は、人々の生活に不可欠なツールであり、既存の手袋は種類が多く、機能によって分けられている。冬、防寒の手袋をかける；作業中に手を保護するための手袋もある。また様々な装飾ための手袋がある。手袋の様式によっては、5本指の手袋、指のない手袋、及びミトンに分けられる。
【０００３】
現在、アウトドアスポーツ用ミトンがよく使われているが、掌と指先は物品と頻繁的に摩擦するため、破損しやすくなる。破損後、この手袋が捨てられて、新しいものに交換しなければならないので、浪費をもたらす。
【考案の概要】
【考案が解決しようとする課題】
【０００４】
当実用的な新型の実施例の目的は、ハンドヘルド交換可能の手袋を提供しており、現在の技術で手袋の掌部、指先が磨耗しやすく、破損後に廃棄することで齎した浪費など問題を提供するためである。
【課題を解決するための手段】
【０００５】
このような目的を実現するために、当実用的な新型の実施例に及ばされたハンドヘルド型交換可能の手袋は、手袋本体と、その手袋本体の上の入れ替え部品を含んでいる。手袋本体は第1掌部、第1手の甲部と第1腕部を含む。手袋の入れ替え部品は第2掌部、第2手の甲部と第2腕部を含む。第2掌部は第１掌部に覆われる。第2手の甲部が第１接続ユニットを通して第１手の甲部と繋がる。第2腕部が第2接続ユニットを通して第1腕部と繋がる。
【０００６】
また、第1接続ユニットは第１コネクタ、第2コネクタ、及び第1コネクタと第2コネクタと接続するためのスライドを含む。第１コネクタは、第１手の甲部に設置された。第2コネクタは、第2手の甲部に設置された。スライドが第１コネクタと第2コネクタに沿って作動することで、第１コネクタと第2コネクタと連動させる。
【０００７】
また、第2接続ユニットが第3コネクタと第4コネクタを含む。第3コネクタは第2腕部が第2手の甲部に面する片側に設置された。第4コネクタは第１腕部が手袋本体の内側に面する片側に設置された。
【０００８】
また、手袋本体が腕当てを内蔵する。内蔵する腕当てのエッジに、第１調節ユニットが設置された。第１腕部のエッジに、第2調節ユニットが設置された。
【０００９】
それに、第2掌部、第2手の甲部、及び第2腕部が一体となって裁断製造されたものである。
【００１０】
手袋の入れ替え部品が摩耗に強い材質を採用したものである。
【考案の効果】
【００１１】
この実用的な新型の実施例の果した効果：当ハンドヘルド型交換可能の手袋は、手袋本体と手袋本体の上の入れ替え部品を含む。手袋本体は第1掌部、第1手の甲部と第1腕部を含んで、手袋の入れ替え部品は第2掌部、第2手の甲部と第2腕部がある。第2掌部は第１掌部に覆われており、第2手の甲部が第１接続ユニットを通して第１手の甲部と繋がる。第１、入れ替え部品が使用側とし、使用時に発生した摩耗を引き受ける。それによって、手袋本体が直接に摩耗されることを避けることが出来る。手袋の入れ替え部品が摩耗になって利用できない場合、入れ替え部品を取り外して新しいものを交換すれば、手袋本体を使用し続けて、廃棄を免れる。そして、手袋の使用寿命が延長され、交換回数を減らし、コストを下げ、浪費を低減することができる。第２、第１接続ユニットが第2手の甲部と第１手の甲部と接続するので、使用時に、手の甲部が引き受けた摩耗が比較的な少ない、第１接続ユニットがここで設置されたことによって、最大程度で第１接続ユニットへの破損影響を減らすことができる。第３、入れ替え部品によって、使用時の手袋の厚さが増加され、外部からの分離をより良い、掌に傷つけることを減らす。第2腕部と第１腕部は第2接続ユニットを経由で繋がる。第１接続ユニットのため、入れ替え部品と手袋本体と接続することを実現すること以外、また第2接続ユニットが設置された。それによって、入れ替え部品と本体との間の接続強度を強化するだけではなく、使用過程に入れ替え部品と本体からの離脱を減らすことができる。手袋の入れ替え部品が摩耗になって利用できない場合、手袋本体を手袋として使用され、使用し続けることに影響を与えない。
【図面の簡単な説明】
【００１２】
【図１】本実用的な新型の実施例1に提供されたハンドヘルド型交換可能の手袋が2本指ミトン様式である正面図。
【図２】図1に示したハンドヘルド型交換可能手袋の背面図。
【図３】図1に示した手袋の入れ替え部品の正面図。
【図４】図3に示した手袋の入れ替え部品の背面図。
【図５】図1に示した手袋本体の断面図。
【図６】図１に示したハンドヘルド型交換可能手袋の第３コネクタと第4コネクタと接続しない状態を示す写真。
【図７】本実用的な新型の実施例２に提供されたハンドヘルド型交換可能手袋が３本指ミトン様式である正面図。
【図８】図7に示したハンドヘルド型交換可能手袋の背面図。
【図９】図7に示した手袋の入れ替え部品の正面図。
【図１０】図7に示した手袋の入れ替え部品の背面図。
【図１１】本実用的な新型の実施例3に提供されたハンドヘルド型交換可能手袋がショーティー様式である正面図。
【図１２】図11に示したハンドヘルド型交換可能手袋の背面図。
【図１３】図11に示した手袋の入れ替え部品の正面図。
【図１４】図11に示した手袋の入れ替え部品の背面図。
【考案を実施するための形態】
【００１３】
以下の実施例は、当実用的な新型のものを説明するために用いられるが、実用的な新型の範囲を制限するために使用されていない。
【００１４】
実施例１
【００１５】
実施例１に及ばれた手袋本体１と手袋の入れ替え部品２はミトンである。図１〜図６に示した通り、本実施例に提供されたハンドヘルド型交換可能手袋は、手袋本体１と手袋本体１に覆われた入れ替え部品２を含む。手袋本体1は第1掌部11、第1手の甲部12と第1腕部13を含む。手袋の入れ替え部品2は第2掌部21、第2手の甲部22と第2腕部23を含む。第2掌部21は第１掌部11に覆われる。第2手の甲部22が第１接続ユニット3を通して第１手の甲部12と繋がる。第2腕部23が第2接続ユニットを通して第1腕部13と繋がる。
【００１６】
当ハンドヘルド型交換可能の手袋は、手袋本体１と手袋本体1の上の入れ替え部品2を含む。手袋本体１１は手袋として独立的に使用されることができる。手袋本体1は第1掌部11、第1手の甲部12と第1腕部13を含んで、手袋の入れ替え部品2は第2掌部21、第2手の甲部22と第2腕部23がある。第2掌部21は第１掌部11に覆われており、第2手の甲部22が第１接続ユニット3を通して第１手の甲部12と繋がる。第１、入れ替え部品2が使用側とし、使用時に発生した摩耗を引き受ける。それによって、手袋本体1が直接に摩耗されることを避けることが出来る。手袋の入れ替え部品2が摩耗になって利用できない場合、入れ替え部品2を取り外して新しいものを交換すれば、手袋本体1を使用し続けて、廃棄を免れる。そして、手袋の使用寿命が延長され、交換回数を減らし、コストを下げ、浪費を低減することができる。第２、第１接続ユニット3が第2手の甲部22と第１手の甲部12と接続するので、使用時に、手の甲部が引き受けた摩耗が比較的な少ない、第１接続ユニット3がここで設置されたことによって、最大程度で第１接続ユニット3への破損影響を減らすことができる。第３、入れ替え部品2によって、使用時の手袋の厚さが増加され、外部からの分離をより良い、掌に傷つけることを減らす。第2腕部23と第１腕部13は第2接続ユニットを経由で繋がる。第１接続ユニット3のため、入れ替え部品2と手袋本体1と接続することを実現すること以外、また第2接続ユニットが設置された。それによって、入れ替え部品2と本体1との間の接続強度を強化するだけではなく、使用過程に入れ替え部品2と本体1からの離脱を減らすことができる。手袋の入れ替え部品2が摩耗になって利用できない場合、手袋本体1を手袋として使用され、使用し続けることに影響を与えない。
【００１７】
この装置はスキー、限界運動に適用するが、上記の応用分野だけに限らない。
【００１８】
図１と図３によって、第1接続ユニット3が第１コネクタ31、第2コネクタ32、及び第1コネクタ31と第2コネクタ32と接続するためのスライド33を含む。第１コネクタ31は、第１手の甲部12に設置された。第2コネクタ32は、第2手の甲部22に設置された。スライド33が第１コネクタ31と第2コネクタ32に沿って作動することで、第１コネクタ31と第2コネクタ32と連動させる。
【００１９】
この実施例では、第1接続ユニット3はチェーン式を採用することができ、第1コネクタ31と第2コネクタ32がチェーンで、スライド33が取っ手になるので、構造が簡単で、コストが低くて、市場に簡単に普及される。切り替えできる方法を使用するため、第１接続ユニット3はを容易にします。でこぼこなボタン、かけボタン、マジックテープ、リンク、押しボタンまたは留め金を採用し、同様に上記の効果を果たすことができる。
【００２０】
続き、図3と図5によって、第2接続ユニットが第3コネクタ41と第4コネクタ42を含む。第3コネクタ41は第2腕部23が第2手の甲部22に面する片側に設置された。第4コネクタ42は第１腕部13が手袋本体1の内側に面する片側に設置された。
【００２１】
この実施例では、入れ替え部品２と手袋本体１との繋がり強度を強化するため、また第２接続ユニットが設置された。それは第２腕部23が第２手の甲部22に面する片側に設置された第3コネクタ41と、第1腕部13が手袋本体１の内側に面する片側に設置された第4コネクト42を含む。第3コネクタ41と第4コネクタ42はマジックテープを採用し、一面はマジックの毛面、もう一面はマジックの引き掛け面である。マジックテープが構造簡単で、手袋の入れ替え2を交換すると、取り外しやすい、力を入れてマジックテープを外すれば済むことができる。取り付ける時に、第3コネクタ41と第4コネクタ42に狙っておすれば良い。それは切り替える方法である。第2接続ユニットは、までこぼこなボタン、かけボタン、マジックテープ、リンク、押しボタンまたは留め金を採用し、同様に上記の効果を果たすことができる。
【００２２】
図1、図2、図5によって、手袋本体1が腕当て4を内蔵する。内蔵する腕当て4のエッジに、第１調節ユニット5が設置された。第１腕部13のエッジに、第2調節ユニット6が設置された。
【００２３】
また、手袋本体１の外側と手袋の入れ替え部品2が摩耗に強い材質を採用したものである。
【００２４】
この実施例では、手袋本体１と手袋の入れ替え部品２は常に摩擦を引き受けるため、摩耗に強い材質を採用した。例えば、炭素繊維、ポリエステルやベーグルなど、内層の腕当て4は人体と接触する部位であるため、比較的柔軟な材料を採用し、人体との摩擦を減らして、快適度を高めることを図る。人によって手腕部のサイズも異なる。従って、第1調整ユニット5と第2調整ユニット6が設置された。第1調整ユニット5が第1調整ロープと第1調節ロープと接続するためのボタンがある。第1調節ロープは内層の腕当て部4のエッジに縫製された。第2調節ユニット6は第2調節ロープと第2調節ロープと接続するための調節ボタンを含んで、第2調節ロープは手袋本体1のエッジに縫製された。それは切り替える可能である。第1調整ユニット55と第2調節ユニット6は調整ロープを共用し、調整ロープの上に第1調整ボタンと第2調節ボタンが設置され、同様にサイズの調節が可能になり、お客様による異なるニーズを満たすことができる。
【００２５】
図3によって、第2掌部２１、第2手の甲部２２、及び第2腕部２３が一体となって裁断製造されたものである。
【００２６】
この実施例では、手袋の入れ替え部品2の耐摩耗性を増やすため、手袋の入れ替え2は一体となって裁断製造方法を採用し、一つの布の上で裁断を行い、エッジの縫製によって立体的な手のひらの形を作り、複数の生地で縫製することに対して、連接所の発生を避け、強い耐摩耗性を持つことができる。
【００２７】
実施例2
【００２８】
図7〜図10に示した通り、実施例２に及ばれた手袋本体１と入れ替え部品２は３本指ミトンの様式である。
【００２９】
実施例3
【００３０】
図11〜図14に示した通り、実施れ3に及ばれた手袋本体１と入れ替え部品２はショーティーである。
【００３１】
上文には、一般的な説明及び具体的な実施例を通して、当実用的な新型のものについて詳しく説明したが、実用的な新型の基礎の上で、いくつかの修正または改善を行うことができることは、この分野の技術者にとっては明らかである。そのため、当実用的な新型の精神の基礎の上でこれらの修正または改善を行うことは、この実用的な新型要求に満たした範囲に属する。  
【符号の説明】
【００３２】
アイコン：1 -手袋本体、2 -手袋の入れ替え部品; 3 -第1接続ユニット; 4 -内層腕当て; 5 -第1調整ユニット; 6 -第2調整ユニット; 11 -第1掌部; 12 -第1手の甲部; 13 -第1腕部；21 -第2掌部；22 -第2手の甲部; 23 -第2腕部; 31 -第1コネクタ; 32 -第2コネクタ;; 33 -スライド; 41 -第3コネクタ; 42 -第4コネクタ。
【図１】
0003220553.tif 000003
【図２】
0003220553.tif 000004
【図３】
0003220553.tif 000005
【図４】
0003220553.tif 000006
【図５】
0003220553.tif 000007
【図６】
0003220553.tif 000008
【図７】
0003220553.tif 000009
【図８】
0003220553.tif 000010
【図９】
0003220553.tif 000011
【図１０】
0003220553.tif 000012
【図１１】
0003220553.tif 000013
【図１２】
0003220553.tif 000014
【図１３】
0003220553.tif 000015
【図１４】
0003220553.tif 000016